(57)【要約】【課題】簡単な構造で、一度開封した後は、取り出し防止用溶着部での復元が困難なディスク収納体とすることによって、新品を保証して、購買者の信頼を得ることができるディスク収納体を提供することを目的とする。【解決手段】本発明によるディスク収納体１は、一辺が１２５ｍｍ長の四角形の透明な４０μｍ厚みのポリプロピレン製シート部材２と同形のポリプロピレン繊維からなる半透明な約４０μｍ厚みの不織布シート３を約１ｍｍ幅の３辺の溶着部４で溶着して形成された収納袋５内に、直径が１２０ｍｍのＤＶＤ−ＲＯＭディスク６がディスク収納用開口部７から収納され、ディスク収納用開口部７に、その中心線８から左右に、直径が約１．５ｍｍの点状の取り出し防止用溶着部９が形成されてディスク６が収納袋５から容易には取り出せないようになっている。【選択図】　　　　図１
2004142794.tif 000002
【特許請求の範囲】
【請求項１】
少なくとも１枚のプラスチック製シート部材ともう一枚のシート部材の各周辺を、ディスク収納用開口部となる一辺を除いて溶着して形成されるディスク収納袋内に、ディスクを収納したディスク収納体において、前記ディスク収納用開口部に、前記ディスクの取り出しを防止する取り出し防止用溶着部を形成したことを特徴とするディスク収納体。
【請求項２】
前記ディスク収納袋は、透明なプラスチック製シート部材とプラスチック繊維からなる不織布製プラスチックシート部材で形成された請求項１記載のディスク収納体。
【請求項３】
前記取り出し防止用溶着部は、ディスク収納袋の内底部から前記取り出し防止用溶着部までの距離が前記ディスクの直径より短い距離の位置に形成されている請求項１または請求項２記載のディスク収納体。
【請求項４】
前記取り出し防止用溶着部は、前記ディスク収納袋のディスク収納用開口部の中心線から両側にそれぞれ１個所形成された請求項１から３のいずれかに記載されたディスク収納体。
【発明の詳細な説明】
【０００１】
【発明の属する技術分野】
本発明は、ＣＤ−ＲＯＭ、ＣＤ−Ｒ、ＤＶＤ−ＲＯＭ、ＤＶＤ−Ｒ等のディスクを収納袋内に収納したディスク収納体に関する。
【０００２】
【従来の技術】
一般に、コンピュータ用ソフトウエアは、これらのデータを記録したＣＤ−ＲＯＭと共にその取り扱い説明書等を収納したケースをプラスチックフィルムで封入して販売されており、このＣＤ−ＲＯＭは、不織布製のシート部材と、透明なプラスチック製のシート部材からなる同一形状の２枚のシート部材の各周辺をディスク収納用開口部となる一辺を除いて溶着して形成されたディスク収納袋の中に収納されて前記取り扱い説明書と共にケースに収納されている（例えば特許文献１）。
【０００３】
このような収納袋に、ＣＤ−ＲＯＭを収納したディスク収納体は、透明なシート部材を通じてディスクの印刷面を目視で確認でき、不織布からなるシート部材で、ディスクの情報記録面を良好に保護できる利点を有するものの、ディスク収納用開口部が開口されたままであるため、この収納袋内に収納されたディスクが新品であるか、中古品であるか見分けがつきにくく、購買者に不信感を抱かせる場合がある。
【０００４】
【特許文献１】
特開平９−５８７７２号公報
【０００５】
【発明が解決しようとする課題】
本発明は、このような問題点を解決しようとするもので、簡単な構造で、一度開封した後は、取り出し防止用溶着部での復元が困難なディスク収納体とすることによって、新品を保証して、購買者の信頼を得ることができるディスク収納体を提供することを目的とする。
【０００６】
【課題を解決するための手段】
本発明による第１の発明は、少なくとも１枚のプラスチック製シート部材ともう一枚のシート部材の各周辺を、ディスク収納用開口部となる一辺を除いて溶着して形成されるディスク収納袋内に、ディスクを収納したディスク収納体において、前記ディスク収納用開口部に、前記ディスクの取り出しを防止する取り出し防止用溶着部を形成したことを特徴とするディスク収納体とすることによって、簡単な構造で、一度開封した後は、元に復帰させることが困難なディスク収納体を提供できるようにしたものである。
【０００７】
本発明の第２の発明は、前記ディスク収納袋は、透明なプラスチック製シート部材とプラスチック繊維からなる不織布製プラスチックシート部材で形成された前記第１発明記載のディスク収納体とすることにより、一度開封した後は、元に復帰させることが困難なディスク収納体とするだけでなく、収納されたディスクの印刷面を目視で確認できるだけでなく、ディスクの情報記録面を良好に保護することができる。
【０００８】
本発明の第３の発明は、前記取り出し防止用溶着部は、ディスク収納袋の内底部から前記取り出し防止用溶着部までの距離が前記ディスクの直径より短い距離の位置に形成されている前記第１発明または第２発明記載のディスク収納体とすることによって、ディスク収納体の搬送時のディスク収納袋内でのディスクの移動が抑制され、ディスクの情報記録面への傷の発生を防止できる。
【０００９】
本発明の第４の発明は、前記取り出し防止用溶着部は、前記ディスク収納袋のディスク収納用開口部の中心線から両側にそれぞれ１個所形成された前記第１発明から第３発明のいずれかに記載されたディスク収納体とすることによって、開封後も取り出し防止用溶着部でのディスクの情報記録面への傷の発生を最小限に押えることができる。
【００１０】
本発明においては、開封後の復元が困難にするために、ディスク収納用開口部に、ディスクの取り出しを防止する取り出し防止用溶着部を形成することが重要であるが、このような溶着部は、ディスク収納袋を形成する少なくとも１枚のプラスチック製シート部材と他のシート部材、例えば、紙製、プラスチック製、不織布製等のシート部材を使用し、ディスク収納用開口部を、加熱又は超音波等によって溶着することで、この溶着部を破いて開封するとこの開封された溶着部の復元は難しく、開封されたことが一目瞭然に知ることができることに着目したものである。
【００１１】
このような溶着部は、２枚のシート部材で形成されるディスク収納袋の内１枚がプラスチックで形成されておればよく、プラスチックシート部材を加熱すること等で、プラスチックシート部材が溶融して他のシート部材に接着することによって、ディスク収納用開口部が封口され、前記収納袋から前記溶着部を破損することなし、ディスクを取り出すことが防止される。また、このように、ディスク収納開口部を溶着部で封口するので、ディスク収納体の搬送時に、前記収納袋からディスクが抜け落ちて、ディスクの情報記録面への擦り傷が発生することを防止することができる。
【００１２】
前記ディスク収納袋は、１枚がポリエチレン、ナイロン、ポリプロピレン繊維等のプラスチック繊維から成る不織布製シート部材を、もう１枚をポリエチレンテレフタレート、ポリエチレン、ポリプロピレン等からなる透明なプラスチック製シート部材を使用し、四角形状に、裁断し、３辺を加熱溶融、溶着して好適に形成することができるが、このように、プラスチック繊維からなる不織布シート部材と透明なプラスチック製シート部材を使用することで、前記溶着部が適切に溶着されるだけでなく、開封後にディスクの収納袋として使用する際にもディスクの情報記録面を不織布シートで保護できるとともに、透明シート部材で、ディスクの印刷面を目視できるので、好適である。ディスク収納袋は、前記のように、四角形に限らず、底部を半円形等適宜の形状とすることができる。
【００１３】
前記取り出し防止用溶着部は、ディスク収納用開口部を全体に亘って溶着しても良いが、この開口部の中心線から両側に、それぞれ１個所形成すれば、溶着部を破損して開封した後、この収納袋をディスクの収納保護袋として使用する際、溶着部でのディスクの情報記録面に対する摺接による情報記録面への傷の発生を最小限に押えることができる。
【００１４】
また、この溶着部の位置を、ディスク収納袋の内底部からこの溶着部までの距離を収納されるディスクの直径より短い距離とすることで、ディスク収納袋内に収納されたディスクが、収納袋内での移動が阻止され、ディスク収納体を搬送した際、ディスクが収納袋内で移動して、前記取り出し防止用溶着部を破損することを防止できる。
【００１５】
本発明で使用されるディスクとしては、前述のように、情報が記録されたＣＤ−ＲＯＭやＤＶＤ−ＲＯＭに限らず、情報の記録可能なＣＤ−Ｒ、ＤＶＤ−Ｒ、ＤＶＤ−ＲＡＭ等にも適用可能であり、その大きさも直径が１２０ｍｍのものに限らず、これより径の小さい、例えば、８０ｍｍの直径のディスクも使用され、ディスクの径に応じて、このディスクを収納する収納袋の大きさ及び取り出し防止用溶着部の形成位置も適宜選定することができる。
【００１６】
【発明の実施の形態】
以下本発明によるディスク収納体の一実施例について図面を参照しながら説明する。
【００１７】
図１は、本発明によるディスク収納体の平面図で、図２は、図１のＡ−Ａ’線上で切断した断面図、図３は、図１のＢ−Ｂ’線上で切断した断面図、図４は、図１のＣ−Ｃ’線上で切断した断面図を示す。
【００１８】
本発明によるディスク収納体１は、図１、図２、図３、図４で示すように、一辺が１２５ｍｍ長の四角形の透明な４０μｍ厚みのポリプロピレン製シート部材２と同形のポリプロピレン繊維からなる半透明な約４０μｍ厚みの不織布シート３を約１ｍｍ幅の３辺の溶着部４で溶着し、残りの１辺が溶着されずディスク収納開口部７を形成した収納袋５内に、直径が１２０ｍｍのコンピュータのソフトウエアの情報が記録されたＤＶＤ−ＲＯＭディスク６が収納袋５のディスク収納用開口部７から収納され、ディスク収納用開口部７に、その中心線８から左右に、直径が約１．５ｍｍの点状の取り出し防止用溶着部９が形成されてディスク６が収納袋５から容易には取り出せないようになっている。
【００１９】
ディスク６は、表面に、記録内容などを印刷表示部１０を有し、裏面には、アルミニュウム反射板（図示せず）に、所要のデータに応じた凹凸面を形成した情報記録面１１を有しており、このディスク６は、収納袋５の不織布シート部材３に、情報記録面１１が、また、透明シート部材２に印刷表示部１０が対向するように収納袋５内に収納されており、ディスク６の印刷表示部１０が透明シート部材２を介して、表示内容を目視で判読できるようになっており、また、情報記録面１１は、不織布シート部材と対接して、その柔軟性やクリーニング性によって、情報記録面１１を良好に保護している。
【００２０】
ディスク６は、前記収納袋５に、そのディスク収納用開口部７から収納されるが、このように、収納された後、取り出し防止用溶着部９が加熱こてや超音波振動溶着機によって、加熱されて、両プラスチック製のシート部材２及び３を軟化、溶融、接着して形成されている。この溶着部９は、図１で示すように、収納袋５の内底部１２からの距離Ｈが約１１５ｍｍ、内側部１３からの距離Ｗ１が約２４ｍｍ、取り出し防止用溶着部間の距離Ｗ２が約７５ｍｍの位置で、２点形成されている。
【００２１】
ディスク６の直径Ｄは、１２０ｍｍであり、前記距離Ｈが約１１５ｍｍ、内側部１３からの距離Ｗ１が約２４ｍｍ、取り出し防止用溶着部間の距離Ｗ２が約７５ｍｍあるので、ディスク６のディスク収納用開口部７方向への移動は、ほとんど阻止され、ディスク６の収納袋５内でのディスク収納用開口部７方向への移動に伴う取り出し防止用溶着部９の破損を防止することができる。なお、１４は、ディスク６の中心孔である。
【００２２】
【発明の効果】
本発明の第１発明によれば、前記ディスク収納用開口部に、前記ディスクの取り出しを防止する取り出し防止用溶着部を形成したので、簡単な構造で、一度開封した後は、復元が困難なディスク収納体とすることによって、新品を保証して購買者の信頼を得ることができる。
【図面の簡単な説明】
【図１】本発明によるディスク収納体の平面図である。
【図２】図１のＡ−Ａ‘線上で切断した断面図である。
【図３】図１のＢ−Ｂ’線上で切断した断面図である。
【図４】図１のＣ−Ｃ’線上で切断した断面図である。
【符号の説明】
１　ディスク収納体
２　透明シート部材
３　不織布シート部材
４　溶着部
５　収納袋
６　ディスク
７　ディスク収納用開口部
８　中心線
９　取り出し防止用溶着部
１０　印刷表示部
１１　情報記録面
１２　内底部
１３　内側部
【図１】
2004142794.tif 000003
【図２】
2004142794.tif 000004
【図３】
2004142794.tif 000005
【図４】
2004142794.tif 000006